(57)【特許請求の範囲】
【請求項１】
放射性ヨウ素含有廃液を保管減衰用の貯留槽に放流する前処理に際し、
放射性ヨウ素含有廃液を保留する充填タンクを備えると共に、充填タンクの後段に廃液中の蛋白の固化や殺菌を行い蛋白の回収除去を行う蛋白処理機構系と、廃液中の放射性ヨウ素の回収除去を行うヨウ素処理タンクと、放射性ヨウ素の含有濃度の測定を行うヨウ素測定タンクと、放射性ヨウ素の再度の回収除去を行う補助用のヨウ素処理タンクとよりなるヨウ素処理機構系とを備え、かつヨウ素処理機構系の後段に保管減衰用の貯留槽に排水を行う処理済廃液用貯留タンクを備え、
充填タンクにおいて廃液中に蛋白が混在するか否かを識別し、蛋白が混在している場合にはヨウ素処理機構系を閉状態として蛋白処理機構系に送液して廃液中の蛋白など夾雑物の回収除去を行った後にヨウ素処理機構系に送液して放射性ヨウ素の回収除去を行う工程と、
充填タンクにおいて廃液中に蛋白か混在していないと識別した場合には、蛋白処理機構系を閉状態として直接ヨウ素処理機構系に送液して廃液中より放射性ヨウ素の回収除去を行う工程とよりなり、
ヨウ素処理機構系においてヨウ素処理タンクにより放射性ヨウ素の回収除去が行われた廃液は、ヨウ素測定タンクにおいて放射性ヨウ素含有濃度が測定され、放射性ヨウ素含有濃度が基準値以上であると測定された場合には、放射性ヨウ素の再度の回収除去を行う補助用のヨウ素処理タンクに送液されて放射性ヨウ素の回収除去が図られると共に、放射性ヨウ素含有濃度が基準値以下となるようにヨウ素測定タンクと補助用のヨウ素処理タンクとの間の還流が繰り返され、
ヨウ素測定タンクにおいて放射性ヨウ素含有濃度が基準値以下であると測定された場合には、保管減衰用の貯留槽に放流する前段階として廃液を処理済廃液用貯留タンクに送液して貯留する
ことを特徴とする放射性ヨウ素含有廃液の前処理方法。
【請求項２】
放射性ヨウ素含有廃液を貯留すると共に、廃液中に蛋白が混在するか否かを識別する充填タンクと、
充填タンクの後段に配置されると共に、蛋白処理機構系へと連通される第１系統の送流路とヨウ素処理機構系へと連通される第２系統の送流路とよりなる分岐路と、
蛋白処理機構系は、
蛋白分離剤などの投入により廃液中の蛋白の固化や殺菌を行う蛋白処理タンクと、
蛋白処理タンクと連通されると共に、タンク内に出し入れ可能に設けられたろ過器により固化された蛋白などの夾雑物の回収除去を行うろ過タンクと、
ろ過タンクと連通されると共に、蛋白などの夾雑物の回収除去が行われた後の放射性ヨウ素含有廃液を貯留し、かつヨウ素処理機構系の第２系統の送流路に連通される廃液用貯留タンクとにより構成され、
ヨウ素処理機構系は、
内蔵されたヨウ素除去器により放射性ヨウ素の回収除去を行うヨウ素処理タンクと、
ヨウ素処理タンクと連通されると共に、廃液中の放射性ヨウ素の含有濃度の測定を行うヨウ素測定タンクと、
ヨウ素測定タンクと連通されると共に、放射性ヨウ素の再度の回収除去を行う補助用のヨウ素処理タンクとにより構成されるヨウ素処理機構系とにより構成され、
ヨウ素処理機構系の後段に配置され、放射性ヨウ素の回収除去が行われた廃液を貯留し装置外の保管減衰用の貯留槽へ排出する処理済廃液用貯留タンクとを具備する、
ことを特徴とする放射性ヨウ素含有廃液の前処理装置。
【発明の詳細な説明】
【０００１】
【産業上の利用分野】
この発明は、安全で効率のよい排水処理を低コストで行うことができる放射性ヨウ素含有廃液の前処理方法、及び、前処理装置に関するものである。
【０００２】
【従来の技術】
近年、核医学診療の著しい普及に伴って、放射性汚染廃液の安全かつ経済的な処理システムが要求されている。例えば、特に汎用性の高い放射性同位元素（Ｒｌ）として、ｉｎ−ｖｉｖｏ検査ではＴｃ−９９ｍ，Ｉ−１３１，Ｇａ−６７，Ｓｅ−７５，ＴＩ−２０１等の５核種があり、ｉｎ−ｖｉｔｒｏ検査ではＩ−１２５の１核種がある。
【０００３】
しかして、これらの汎用ＲＩ中でヨウ素１２５であるＩ−１２５（以下、放射性ヨウ素という）は、最も危険度の高いＲＩとされているが、その需要は著しく増加し続けている。このような放射性ヨウ素を含有する廃液（放射性ヨウ素含有廃液）の排水処理にあっては、行政上の規定により、専用の貯留槽に廃液を保管し、廃液中のＲＩ濃度が「水中最大許容濃度の１／１０」以下に減衰してから放流するという保管減衰法を採用しなければならない。
【０００４】
したがって、設備としては少なくとも１基の貯留槽と、緊急用としてその２倍の容積の希釈槽をさらに１基備えなければならず、同一の廃液使用量で比較した場合、放射性ヨウ素含有廃液の排水処理設備は他のＲＩ含有廃液に比して大規模な設備となる。
【０００５】
【発明が解決しようとする課題】
このように、放射性ヨウ素含有廃液の排水処理は、安全性の確保は勿論のこととして、他のＲＩ含有廃液に比して大規模な設備が必要であるため、その使用量が増大する場合には、貯留槽の容量とこれに伴う緊急用の希釈槽の容量を拡大するか、それぞれを新たに増設するかしなければならない。
【０００６】
このため、設備コストの増大とともに、新たな敷地面積の確保が必要となる等の間題があり、放射性ヨウ素の需要の急速な普及に伴ってこのような問題への対応が深刻化してきている。
【０００７】
また、放射性ヨウ素含有廃液には、ヨウ素標識蛋白が混在している場合があり、この場合には、蛋白を分離して回収除去しなければ効率のよい放射性ヨウ素の回収除去を行うことができないとともに、蛋白の放流は水質汚濁の観点からも好ましくない。
【０００８】
この発明は、このような事情に基づいてなされたものであり、安全で効率のよい排水処理を低コストで行うことができる放射性ヨウ素含有廃液の前処理方法、及び、前処理装置の提供を目的とする。
【０００９】
【課題を解決するための手段】
この発明は上記のような目的を達成するために、放射性ヨウ素含有廃液を保管減衰用の貯留槽に放流する前処理に際し、放射性ヨウ素含有廃液を保留する充填タンクを備えると共に、充填タンクの後段に廃液中の蛋白の固化や殺菌を行い蛋白の回収除去を行う蛋白処理機構系と、廃液中の放射性ヨウ素の回収除去を行うヨウ素処理タンクと、放射性ヨウ素の含有濃度の測定を行うヨウ素測定タンクと、放射性ヨウ素の再度の回収除去を行う補助用のヨウ素処理タンクとよりなるヨウ素処理機構系とを備え、かつヨウ素処理機構系の後段に保管減衰用の貯留槽に排水を行う処理済廃液用貯留タンクを備え、充填タンクにおいて廃液中に蛋白が混在するか否かを識別し、蛋白が混在している場合にはヨウ素処理機構系を閉状態として蛋白処理機構系に送液して廃液中の蛋白など夾雑物の回収除去を行った後にヨウ素処理機構系に送液して放射性ヨウ素の回収除去を行う工程と、充填タンクにおいて廃液中に蛋白か混在していないと識別した場合には、蛋白処理機構系を閉状態として直接ヨウ素処理機構系に送液して廃液中より放射性ヨウ素の回収除去を行う工程とよりなり、ヨウ素処理機構系においてヨウ素処理タンクにより放射性ヨウ素の回収除去が行われた廃液は、ヨウ素測定タンクにおいて放射性ヨウ素含有濃度が測定され、放射性ヨウ素含有濃度が基準値以上であると測定された場合には、放射性ヨウ素の再度の回収除去を行う補助用のヨウ素処理タンクに送液されて放射性ヨウ素の回収除去が図られると共に、放射性ヨウ素含有濃度が基準値以下となるようにヨウ素測定タンクと補助用のヨウ素処理タンクとの間の還流が繰り返され、ヨウ素測定タンクにおいて放射性ヨウ素含有濃度が基準値以下であると測定された場合には、保管減衰用の貯留槽に放流する前段階として廃液を処理済廃液用貯留タンクに送液して貯留することを特徴とする。
【００１０】
【作用】
この発明によれば、従来のように保管滅衰用の貯留槽に直接に放射性ヨウ素含有廃液を放流して排水処理を行うのではなく、その前処理として、放流する放射性ヨウ素含有廃液を充填タンクに注入しその廃液中に蛋白が混在するか否かを識別する。そして、蛋白が混在する場合には、蛋白処理系により蛋白などの夾雑物の回収除去を行う。また、蛋白が混在しない場合には、直接ヨウ素処理系により放射性ヨウ素の回収除去を行う。これにより、保管減衰用の貯留槽での排水処理を軽減化し、かつ放射性ヨウ素含有廃液の液量が増大した場合でも、従来の保管減衰用の貯留槽をそのまま活用することができる。
【００１１】
【実施例】
以下、この発明の実施例を図面に基づき詳細に説明する。図１は、この発明に係る装置の概略構成図であり、図２は、制御系を示すブロック図である。
【００１２】
図１に示すように、装置の基本構成は、ヨウ素１２５（放射性ヨウ素）含有廃液の充填タンク１，蛋白処理機構系２，ヨウ素処理機構系３から構成されている。また、装置の制御系１００は、図２に示すように、各種指令の入力手段１０１，処理動作などの表示手段１０２，装置の各部の動作を制御する制御手段１０３，蛋白処理系手段１０４，ヨウ素処理系手段１０５により構成されている。
【００１３】
充填タンク１は、上部に放射性ヨウ素含有廃液の注入口１ａが開閉蓋１ｂを伴って形成されている。この充填タンク１に注入さた廃液は、その廃液中に蛋白が混在しているか否かの確認が行なわれ、蛋白が混入していない場合には、直接ヨウ素処理機構系３の処理に付されるが、蛋白が混入してる場合には、まず蛋白処理機構系２の処理に付された後にヨウ素処理機構系３の処理に付される。
【００１４】
しかして、廃液中に蛋白が混在しているか否かの確認は、この実施例では、目視により行なわれ、蛋白が混在している場合には、図３に示した制御パネル２３の自動−ヨウ素切換スイッチを自動に設定すると、次に説明する分岐路４における第１系統の送流路４１の開閉弁４１ａが開とされ、蛋白処理機構系２の処理に付される。
【００１５】
なお、蛋白の有無の確認は目視によらず、充填タンク１に廃液識別用センサを設け、自動的に充填タンク１内の廃液中の蛋白の有無を識別し、この識別信号により分岐路４１，４２のいずれに送液するかを自動的に行うように構成してもよい。
【００１６】
充填タンク１の下部からは、それぞれ開閉弁４１ａ，４２ａを介在した２系統の送流路４１，４２を有する分岐路４が延設され、第１系統の送流路４１は蛋白処理機構系２の蛋白処理タンク５に連通され、第２系統の送流路４２はヨウ素処理機構系３のヨウ素処理タンク９に連通されている。４２ｂはポンプである。
【００１７】
蛋白処理タンク５は、蛋白が混在している放射性ヨウ素含有廃液が注入されるもので、ヒータ５ａ，開閉弁５ｃを有する給水器５ｂ，加圧器５ｄ，開閉弁５ｆを有する排気路５ｅ，開閉弁５ｆを有するコンプレッサ５ｇ，撹拌を行うギヤァドモータ５ｉなどが付設されている。
【００１８】
また、このタンク５には蛋白分離剤が投入されるが、給水器５ｂから投入されてもよいし別途に投入器を付設してもよい。また、この蛋白処理タンク５の下部からは、開閉弁４１ｃを介在した送流路４１ｂが延設され、この送流路４１ｂはろ過タンク６と連通されている。
【００１９】
ろ過タンク６内には、放射性ヨウ素含有廃液中の蛋白を固化した蛋白分離剤（プロレパ）やその他の夾雑物の吸着用フィルタ（ろ過器）６ａがタンク６に対して出し入れ可能に取付けられている。また、このろ過タンク６の下部からは送流路４１ｄが延設され、この送流路４１ｄを介してヨウ素含有廃液用貯留タンク７と連通されている。
【００２０】
この廃液用貯留タンク７は、蛋白等の夾雑物が除去された後の放射性ヨウ素含有廃液が貯留され、廃液量を測定する液面計７ａが取付けられている。また、ブロア７ｃを有する排気路７ｂが設けられている。この廃液貯留タンク７の下部からは、タンク７内が適量な液量となると作動するポンプ８ａを介在した送流路８が延設され、この送流路８はヨウ素処理タンク９と連通されている。
【００２１】
このヨウ素処理タンク９には、活性炭カートリッチよりなるヨウ素除去器９ａが回転可能に内蔵されている。９ｂは循環ポンプ、９ｃはギヤァドモータである。また、このタンク９の下部からは、開閉弁４２ｄを介在した送流路４２ｃが延設され、この送流路４２ｃはヨウ素測定タンク１０と連通されている。
【００２２】
ヨウ素測定タンク１０は、放射性ヨウ素の測定モニタ１０ａが取付けられており、タンク１０内の放射性ヨウ素の濃度を検出する。１０ｂは液面計である。また、このタンク１０の下部からは、開閉弁４２ｆを介在した送流路４２ｅが延設され、この送流路４２ｅは廃液貯留タンク１１と連通されている。
【００２３】
廃液貯留タンク１１は、放射性ヨウ素が除去された後の廃液が貯留される。また、この廃液貯留タンク１１には、液面計１１ａとブロア１１ｃを介して排気路１１ｂが設けられている。１２は廃液貯留タンク１１内の背泳を保管減衰用の貯留槽（図示略）に排出する排液路であり、１２ａはその開閉弁である。
【００２４】
１５は補助用のヨウ素処理タンクであり、ヨウ素測定タンク１０より延設された送流路１３と開閉弁１３ａ，１３ｃを介在して連通されている。１３ｂは送流路１３に設けられたポンプであり、１３ｄは開閉弁１３ｃを介して送流路１３に接続される排気路である。また、この送流路１３にはヨウ素処理タンク９から延設された送流路１４が接続されている。送流路１４には開閉弁１４が介在されるとともに、開閉弁１４ｃを介した排気路１４ｂが接続されている。
【００２５】
補助用のヨウ素処理タンク１５は、ヨウ素処理タンク９と同様に活性炭カートリッチよりなるヨウ素除去器１５ａが回転可能に内蔵されている。また、１５ｂは循環ポンプ、１５ｃはギヤァドモータである。このタンク１５の下部からは開閉弁１６ａを介在した送流路１６が延設され、この送流路１６はヨウ素測定タンク１０に連通する送流路４２ｃへと連通される。
【００２６】
一方、制御系１００は、図２に示すように、入力手段１０１に各種指令の情報が入力されると、この入力手段１０１は、入力情報に基づく信号を制御手段１０３へ出力する。制御手段１０３は、入力信号に基づいて装置の各部の動作をシーケンス制御する。例えば、入力手段１０１から制御手段１０３に自動−ヨウ素切換スイッチが自動に設定されたとの信号が入力されると、制御手段１０３は蛋白処理系手段１０４へ動作指令信号を出力し、これにより蛋白処理機構系２が動作する。
【００２７】
そして、蛋白処理機構系２の動作が完了すると、制御手段１０３はヨウ素処理系手段１０５に動作指令信号を出力し、これによりヨウ素処理機構系３が動作する。また、自動−ヨウ素切換スイッチがヨウ素に設定されたとの信号が制御手段１０３に入力されると、制御手段１０３は直接ヨウ素処理系手段１０５に動作指令信号を出力し、これによりヨウ素処理機構系３が動作することとなる。
【００２８】
図３は、装置の正面図であり、２１，２２は開閉扉、２１ａ，２２ａは覗き窓、２３は制御パネル、２４は表示パネル、２５は排気口であり、その他、装置の側面や背面に設けられる電源コネクタ，ドレーン口，給水口などの図示は省略をする。
【００２９】
次に、装置の操作について説明する。まず、動作スタートの前段として活性炭カートリッチよりなるヨウ素除去器９ａ，１５ａが良好な状態にあるかを確認し、蛋白分離剤（プロセパ）がろ過器６ａに溜まっていないかを確認した後に装置を通電状態とする。
【００３０】
次に、制御パネル２３のブレーカをＯＮにし、ＳＴＯＰランプ，温度コントロールランプの点灯表示を確認し、放射性ヨウ素の測定モニタ１０ａのＰＯＷＥＲスイッチをＯＮにし、ＬＯＷランプ（緑色）の点灯を確認する。
【００３１】
その後、充填タンク１の蓋１ｂを開けて注入口１ａから放射性ヨウ素含有廃液を注入する。この実施例にあっては、放射性ヨウ素含有廃液の注入量は２０００ｃｃに設定されているので、これを越えるとオーバーフローランプが点灯する。このオーバーフローランプの点灯中は装置はスタートとならないので、適量の液量となるように調整をする。
【００３２】
制御パネル２３の自動−ヨウ素切り換えスイッチは、通常は自動に設定しスタートボタンを押す。同時に、充填タンク１からは第１系統の送流路４１を介して蛋白処理タンク５に送液され、送液が完了すると制御パネル２３の処理槽ランプが点灯する。
【００３３】
蛋白処理タンク５内では、蛋白が混在している放射性ヨウ素含有廃液が１２０℃で３０分間加熱・殺菌され、廃液中の有害菌や感染菌等が殺菌される。その後、給水用の開閉弁５ｃが開き４０℃まで廃液を冷却する。また、コンプレッサ５ｇが作動して蛋白処理タンク５を加圧し、下部の開閉弁４１ｂバルブを開き、廃液をろ過タンク６に送液する。
【００３４】
ろ過タンク６に送液が完了すると、ろ過ランプが点灯する。廃液中の蛋白を固化した蛋白分離剤（プロレパ）がフィルタであるろ過器６ａに溜まるので、必要に応じてフィルタを廃棄する。その後、廃液は廃液貯留タンクに７送液され、このタンク７内に廃液が充分に溜まると：液面計７ａにより液量が検出され、貯留槽ランプが点灯する。また、ポンプ８ａが作動して廃液をヨウ素処理タンク９に送液する。
【００３５】
ヨウ素処理タンク９内では、活性炭カートリッチよりなるヨウ素除去器９ａが約１５分間回転し、蛋白等の夾雑物が除去されつつ放射性ヨウ素含有廃液はこのタンク９内を循環し、廃液中のヨウ素は吸着して回収される。
【００３６】
その後、上記の処理がなされた廃液はヨウ素測定タンク１０に送液され、ヨウ素測定モニタ１０ａで１２０秒測定され、測定値がアラーム設定値以下であればＬＯＷランプが点灯し、設定値以上の場合にはＨＩＧＨランフが点灯する。なお、ヨウ素測定タンク１０に廃液がある間は測定ランプが点灯している。
【００３７】
測定値がＬＯＷの場合には、廃液は廃液貯留タンク１１に送液され、終了ランプが点灯するので、廃液が一定量となると外部の貯留槽に排出され、規定の保管減衰処理工程に移行され、装置は一連の運転を終了する。
【００３８】
一方、ヨウ素測定タンク１０において測定値がＨＩＧＨとして検出された場合には、さらに入念にヨウ素回収辞去を行う必要から、廃液はヨウ素測定タンク１１からさらに補助用のヨウ素処理タンク１５に還流送液される。このタンク１５内にも活性炭カートリッチよりなるヨウ素除去器１５ａが回転可能に内蔵されているので、廃液はこの予備用のヨウ素処理タンク１５とヨウ素測定タンク１０との間を循環し、測定値がＬＯＷになるまで液中のヨウ素は吸着して回収される。
【００３９】
このように、この実施例では、保管減衰用の貯留槽に直接に放射性ヨウ素含有廃液を放流して保管するのではなく、その前処理として、放流する放射性ヨウ素含有廃液を充填タンク１に注入しその廃液中に蛋白が混在するか否かを識別し、蛋白が混在する場合には、蛋白処理機構系２により蛋白等の夾雑物の回収除去を行った後に、ヨウ素処理機構系３により放射性ヨウ素の回収除去を行う。
【００４０】
また、蛋白が混在しない場合には、そのままヨウ素処理機構系３に送液して放射性ヨウ素の回収除去を行う。したがって、保管減衰用の貯留槽での排水処理を軽減化し、かつ放射性ヨウ素含有廃液の液量が増大した場合でも、従来の保管減衰用の貯留槽をそのまま活用することができる。
【００４１】
よって、保管減衰用の貯流槽における排水処理の前処理として、放射性ヨウ素含有廃液に対し安全で効率のよい排水処理を低コストで行うことができる。
【００４２】
【発明の効果】
以上説明したように、この発明によれば、放射性ヨウ素含有廃液を保管減衰用の貯留槽に放流する前処理として、充填タンクにおいて廃液中に蛋白が混在している場合には、蛋白処理機構系で蛋白など夾雑物の回収除去を行った後にヨウ素処理機構系に送液して放射性ヨウ素の回収除去を行い、充填タンクにおいて廃液中に蛋白か混在していない場合には、直接ヨウ素処理機構系に送液して放射性ヨウ素の回収除去を行うと共に、廃液中の放射性ヨウ素含有濃度を測定し、放射性ヨウ素含有濃度が基準値以下となるように補助用のヨウ素処理タンクとの間の還流を繰り返した後、処理済廃液用貯留タンクに貯留して保管減衰用の貯留槽に放流するように構成されているので、保管減衰用の貯留槽での希釈処理を軽減化することができ、廃液量が増加した場合でも保管減衰用の貯留槽の増設などを行うことなく放射性ヨウ素含有廃液に対し安全で効率のよい排水処理を低コストで行うことができる。
【図面の簡単な説明】
【図１】この発明に係る装置の概略構成図である。
【図２】この発明に係る装置の制御系を示すブロックである。
【図３】この発明に係る装置の正面である。
【符号の説明】
１      充填タンク
２      蛋白処理機構系
３      ヨウ素処理機構系
４      分岐路
５      蛋白処理タンク５
６      ろ過タンク
７      廃液用貯留タンク
９      ヨウ素処理タンク
１０    ヨウ素測定タンク
１１    廃液貯留タンク
１５    補助用のヨウ素処理タンク
【図１】
0003648574.tif 000002
【図２】
0003648574.tif 000003
【図３】
0003648574.tif 000004